(57)【特許請求の範囲】
【請求項１】
個々に風向角度を制御可能な複数の風向板を備えた室内機と、同室内機を操作する遠隔操作装置とを備え、
前記室内機は、
前記室内機の向きを示す基準マークが設けられ、前記風向板を識別する風向板識別番号が前記基準マークを起点として各前記風向板の配置位置に対応して順次割り当てられ、前記風向板識別番号に基づいて該当する前記風向板を制御する空気調和機であって、
前記遠隔操作装置は、
前記室内機の風向板識別番号が記された前記室内機の模式図の表示パターンを予め記憶しており、
前記表示パターンを表示する表示手段と、
前記模式図を所定角度毎に回転させる回転操作に基づいて、前記模式図の回転位置を更新して記憶し、記憶した前記回転位置と対応する前記表示パターンを指定するパターン番号の値を出力する模式図管理手段と、
予め前記パターン番号毎に前記表示パターンを記憶し、記憶している前記表示パターンから前記模式図管理手段が出力した前記パターン番号に対応する前記表示パターンを抽出して前記表示手段へ出力するパターン抽出手段とを備え、
ユーザーによる前記回転操作が行なわれる都度、前記模式図管理手段は前記パターン番号の値を予め定めた所定値で増加させ、
前記パターン抽出手段は前記模式図管理手段が出力した前記パターン番号と対応する前記表示パターンを出力し、
前記表示手段は、前記パターン抽出手段が出力した前記表示パターンを出力することにより、前記回転操作前に表示した前記模式図に対して前記所定角度回転させた前記模式図を表示することを特徴とする空気調和機。
【発明の詳細な説明】
【技術分野】
【０００１】
本発明は、空気調和機に係わり、より詳細には、独立して制御可能な複数の風向板を備えた室内機をリモコンで制御する構成に関する。
【背景技術】
【０００２】
従来、空気調和機の室内機は特許文献１に示すように、４つの風向板の風向角度が独立して制御可能になっている。ユーザーはリモコンに表示される４つの風向板識別表示から意図する風向板を選択し、この選択された風向板に対して風向角度を指定するようになっている。
このような室内機は天井埋込型であるため、図示しない天井内の梁や各種の配管などにより室内機への冷媒管の接続方向が制限を受け、この結果、室内機の設置方向を揃えることができない場合がある。また、この室内機を操作するリモコンも室内機と通信する通信線の配線作業の都合により、壁に設置される場合がほとんどである。このため、室内機の設置方向とリモコンの設置方向とは関連づけることができなかった。
【０００３】
このリモコンの風向板識別表示と実際の風向板との対応をユーザーが記憶していれば問題ないが、記憶していない場合、意図する風向板がリモコンの風向板識別表示のどれと対応するかが不明である。このため、ユーザーはまず、任意の風向板をリモコンで選択・操作し、次に操作した風向板の動作を確認することで意図する風向板を認識していた。
【０００４】
一方、特許文献２に示す空気調和機の室内機は、室内機の４つの風向板を識別する識別子が各風向板に対応して室内機に設けられており、この識別子と対応するマークを風向板識別表示としてリモコンで表示する構成になっている。このためユーザーは意図する風向板の識別子を目視し、リモコンで表示される風向板識別表示と、この目視した識別子と同じ風向板識別表示をリモコンの画面で選択し、選択された風向板をリモコンで操作することができる。
【０００５】
しかしながら、いずれの方法も、最終的にはユーザーの記憶によって実際の風向板とリモコンに表示される風向板識別表示とを対応付けしており、ユーザーが対応付けを忘れた場合や対応付けを記憶するまでは一時的に風向板を動作させて意図する風向板と対応するリモコンの風向板表示を探したり、ユーザーが室内機に近寄って識別子を確認する必要があり操作性が悪かった。
【先行技術文献】
【特許文献】
【０００６】
【特許文献１】特開２０１３−１１３４６９号公報（第６−７頁、図４）
【特許文献２】特開２０１１−９４９２４号公報（第１０頁、図４）
【発明の概要】
【発明が解決しようとする課題】
【０００７】
本発明は以上述べた問題点を解決し、実際の風向板とリモコンに表示される風向板の模式図との対応付けをユーザーが意識しなくても、ユーザーが意図した風向板を容易に操作可能とし、操作性を向上させた空気調和機を提供することを目的とする。
【課題を解決するための手段】
【０００８】
本発明は上述の課題を解決するため、本発明の請求項１に記載の発明は、個々に風向角度を制御可能な複数の風向板を備えた室内機と、同室内機を操作する遠隔操作装置とを備え、
前記室内機は、
前記室内機の向きを示す基準マークが設けられ、前記風向板を識別する風向板識別番号が前記基準マークを起点として各前記風向板の配置位置に対応して順次割り当てられ、前記風向板識別番号に基づいて該当する前記風向板を制御する空気調和機であって、
前記遠隔操作装置は、
前記室内機の風向板識別番号が記された前記室内機の模式図の表示パターンを予め記憶しており、
前記表示パターンを表示する表示手段と、
前記模式図を所定角度毎に回転させる回転操作に基づいて、前記模式図の回転位置を更新して記憶し、記憶した前記回転位置と対応する前記表示パターンを指定するパターン番号の値を出力する模式図管理手段と、
予め前記パターン番号毎に前記表示パターンを記憶し、記憶している前記表示パターンから前記模式図管理手段が出力した前記パターン番号に対応する前記表示パターンを抽出して前記表示手段へ出力するパターン抽出手段とを備え、
ユーザーによる前記回転操作が行なわれる都度、前記模式図管理手段は前記パターン番号の値を予め定めた所定値で増加させ、
前記パターン抽出手段は前記模式図管理手段が出力した前記パターン番号と対応する前記表示パターンを出力し、
前記表示手段は、前記パターン抽出手段が出力した前記表示パターンを出力することにより、前記回転操作前に表示した前記模式図に対して前記所定角度回転させた前記模式図を表示する。
【発明の効果】
【０００９】
以上の手段を用いることにより、本発明による空気調和機によれば、実際の風向板とリモコンに表示される風向板の模式図との対応付けをユーザーが意識しなくても、ユーザーが見たままの室内機と対応する室内機の模式図となるように、ユーザーが模式図を回転させてリモコンに記憶・表示させるようにした。このため、ユーザーが意図した風向板の風向板識別番号を容易に選択できるため操作性を向上させることができる。
【図面の簡単な説明】
【００１０】
【図１】本発明による空気調和機の実施例を示す機器のブロック図である。
【図２】空調システムを管理するグループリモコンと個々の室内機に備えられたリモコンを示す正面図である。
【図３】リモコンのブロック図である。
【図４】グループリモコンのブロック図である。
【図５】ＬＣＤ表示を備えたリモコンで表示される室内機の模式図である。
【図６】リモコンに表示される室内機の模式図の向きを選択する時の操作と表示内容を示す説明図である。
【図７】グループリモコンに表示される室内機の模式図の向きを選択する時の操作と表示内容を示す説明図である。
【図８】リモコンの機能を説明する機能ブロック図である。
【図９】グループリモコンの機能を説明する機能ブロック図である。
【発明を実施するための形態】
【００１１】
以下、本発明の実施の形態を、添付図面に基づいた実施例として詳細に説明する。
【実施例１】
【００１２】
図１は本発明による空気調和機１の実施例を示すブロック図である。この空気調和機１は、室内機５や室内機６と、これらを管理する遠隔操作装置であるグループリモコン２が通信線３を介して通信接続されている。また、室内機５には室内機５の運転を個別に指示する遠隔操作装置であるリモコン５０を備えている。一方、室内機６には室内機６の運転を個別に指示するリモコン６０を備えている。それぞれの室内機とリモコンはリモコン通信線４を介して通信接続されている。
そして、各リモコンからは接続されている室内機の運転開始／停止や温度設定、風量調整、風向板の角度などを指示することができる。グループリモコン２は各室内機を指定して各リモコンと同様に各室内機を個別、もしくは、一括して制御することができる。
【００１３】
室内機５とリモコン５０は、それぞれ室内機６とリモコン６０と同じであるため、ここでは室内機５とリモコン５０を代表として説明する。
室内機５は矩形状のパネル５ｆを備えた天井埋込型の室内機であり、このパネル５ｆの外周辺に長手方向が平行になるように配置された長方形の風向板が備えられており、パネル５ｆの４つの辺に対応して４つの風向板が設けられている。
パネル５ｆの外周付近の一カ所には基準マーク５ｅが印刷されている。この基準マーク５ｅ付近には風向板５ａが備えられており、この基準マーク５ｅを起点として右回りに、風向板５ｂ、風向板５ｃ、風向板５ｄが所定の角度毎に、本実施例では４つの風向板なので９０度毎に順次備えられている。
【００１４】
各風向板は長手方向の辺と平行な回転軸の回りに独立して回動できるようになっており、ユーザーがリモコン５０の各風向板を選択する風向板キーを押下した後に風向板の上下を指定するキーを押下すると、室内機５は選択された風向板を水平方向と垂直方向の間で予め定めた所定角度、例えば３０度単位で上下に回動する。
このように、室内機５は各風向板の角度を独立して制御できるため、室内機５の内部に備えられた図示しない室内機制御部では風向板５ａ〜風向板５ｄに対応して＃１〜＃４の風向板識別番号が割り当てられており、室内機５は指示された風向板識別番号と対応する風向板の角度を変更できるようになっている。
【００１５】
図２（１）は室内機５を制御するリモコン５０の正面図である。
リモコン５０は上部に液晶表示部からなる表示エリアと下部には操作キーが配置された操作キーエリアがそれぞれ配置されている。
【００１６】
表示エリアには設定温度、風向板の角度、風量の大きさ、運転モードがそれぞれ表示されている。また、現在選択されている室内機５の向きが室内機表示エリア５２ｅに表示されている。一方、操作キーエリアには、右回りに９０度間隔で配置された室内機の４つの風向板を模した風向板キー５２ａ、風向板キー５２ｂ、風向板キー５２ｃ、風向板キー５２ｄが備えられ、風向板キー５２ａの下には黒丸の方向マーク５２ｘ１が印刷されている。
【００１７】
そして、方向マーク５２ｘ１を起点として右回りに＃１〜＃４の風向板識別番号が各風向板キーに印刷されている。この方向マーク５２ｘ１は室内機５の基準マーク５ｅと対応しており、後述するように例えばリモコン５０の方向マーク５２ｘ１がある位置の風向板キー５２ａを操作した場合、対応する室内機５の基準マーク５ｅが印刷された位置の風向板５ａの上下角度（回動角度）を制御することができる。なお、他の風向板キーも対応する室内機５の風向板を制御することができる。この動作については後で詳細に説明する。
【００１８】
なお、操作キーとしては上記の他に、設定温度や風向板を回動させる上キー５２ｉと下キー５２ｈ、運転モードを選択する運転モードキー、風量を選択する風量キー、運転の開始／停止を指示する運転キーが備えられている。
【００１９】
次にリモコン５０の室内機表示エリア５２ｅ内に表示されるＬＣＤ（ｌｉｑｕｉｄ  ｃｒｙｓｔａｌ  ｄｉｓｐｌａｙ）の画面の表記内容について説明する。室内機表示エリア５２ｅにはユーザーがリモコン５０を操作する位置から見た室内機５の向きを示す室内機５の模式図５２ｇが表示されるようになっている。模式図５２ｇは菱形、もしくは上下が反転した台形の枠と、この枠の各辺に対応して１〜４の風向板識別番号が同時に表示される。また、模式図５２ｇの１つの辺には室内機５の基準マーク５ｅに対応する黒丸の方向マーク５２ｘが表示されている。
【００２０】
この模式図５２ｇは回転してリモコン５０に記憶させることができるため、室内機５の設置時に実際の室内機５の基準マーク５ｅと、リモコン５０の方向マーク５２ｘの向きを合わせるようにして記憶させておくことにより、室内機５の基準マーク５ｅの確認や実際に風向板を動作させて意図する風向板を確認する必要がなく、ユーザーは模式図５２ｇで示される室内機５の風向板のうち意図する風向板の風向板識別番号を直感的に選択することができる。
【００２１】
例えば図２（１）において、ユーザーが実際の室内機５を斜め下から見上げた場合、室内機５の奥方向は模式図５２ｇの下方向に、室内機５の手前方向は模式図５２ｇの上方向となる。ここで室内機５の左手前の風向板の上下角度を変更したい場合、つまり、模式図５２ｇの左上の風向板識別番号：２と対応する風向板キー５２ｂを押した後、上キー５２ｉ、又は下キー５２ｈを押すことにより、風向板５ｂを１段階上又は下に向けることができ、この状態は風向板表示エリア５２ｊにおいて、横から見た風向板模式図５２ｋの位置で知ることができる。
なお、模式図５２ｇの回転位置を設定するためには、特定の操作として、例えば風向板キー５２ａ、又は風向板キー５２ｂの長押しの操作の後、模式図５２ｇを回転させる回転操作が必要であるが、この設定方法は後で詳細に説明する。
【００２２】
図５はＬＣＤ表示を備えたリモコン５０で表示される室内機５の模式図５２ｇであり、全ての表示内容を点灯させた状態を現している。模式図５２ｇは室内機５の外周の一辺に対して直角にユーザーが斜め下から見上げた場合（以下、室内機の一辺を見た場合と呼称）を示す上下反転した台形枠５２ｇ１と、室内機５の角をユーザーが斜め下から見上げた場合（以下、室内機を角から見た場合と呼称）を示す菱形枠５２ｇ２を備えている。各枠の外周には１〜４の風向板識別番号である識別番号群５２ｇ３や識別番号群５２ｇ４が各枠の外周辺にそれぞれ表示されるようになっている。
【００２３】
また、各枠の内周には黒丸の方向マーク５２ｘがそれぞれ表示されるようになっている。このため、実際の動作としては模式図５２ｇが回転するのでなく、風向板識別番号群から１つだけ選択された風向板識別番号の値が外周辺の右回り方向に増加して表示されるようになっている。また、方向マーク５２ｘも外周辺の右回り方向に移動するように表示されるようになっている。また、台形枠５２ｇ１と菱形枠５２ｇ２を切り替えて用いることにより、８種類の模式図５２ｇが選択可能であり、１周３６０度を８等分した４５度ずつで室内機５の模式図５２ｇを回転させることができる。
【００２４】
図６はリモコン５０において室内機５の模式図５２ｇの向きを選択する回転操作と、模式図５２ｇの表示内容を示す説明図である。図６において横方向の項は左から順に、操作の順番、室内機の一辺を見た場合に用いる押下キー、室内機の一辺を見た場合の模式図５２ｇの表示、室内機を角から見た場合に用いる押下キー、室内機を角から見た場合の模式図５２ｇの表示をそれぞれ示している。なお、模式図５２ｇの表示はその順番でのキーが押下される前の状態を表示しており、その順番でのキーが押下されると次の順番に移行すると共に、次の順番の表示に変化する。
【００２５】
まず最初にユーザーが図示しない室内の壁に設置されたリモコン５０の前に立ち、その位置から室内機５の方向を見た時、室内機５の一辺を見た場合の位置である時の操作を説明する。
順番１として前回の設定操作によって設定されていた模式図５２ｇが表示されているが、この例では初期値として台形の模式図５２ｇが表示され、その内部上側に方向マーク５２ｘの黒丸が、さらに台形の模式図５２ｇの各辺の外に方向マーク５２ｘを起点として模式図５２ｇの右回り方向に１〜４の風向板識別番号が表示されている。この状態で風向板キー５２ａ（＃１キー）を２秒間長押しすると、操作の順番が順番２へ移行する。
【００２６】
順番２では設定操作に入っただけなので表示内容に変化はない。そして順番２において風向板キー５２ａを押下すると順番３へ移行する。順番３では方向マーク５２ｘの黒丸が模式図５２ｇの右へ移動し、風向板識別番号はこの方向マーク５２ｘを基準として右回りに１〜４が表示されている。つまり、順番２の表示に対して９０度右回りに移動したことになる。そして、この状態で風向板キー５２ａを押下すると操作の順番が順番４へ移行する。
【００２７】
順番４では方向マーク５２ｘの黒丸が模式図５２ｇの下へ移動し、風向板識別番号はこの方向マーク５２ｘを基準として右回りに１〜４が表示されている。つまり、順番３の表示に対して９０度右回りに移動したことになる。そして、この状態で風向板キー５２ａを押下すると操作の順番が順番５へ移行する。
【００２８】
順番５では方向マーク５２ｘの黒丸が模式図５２ｇの左へ移動し、風向板識別番号はこの方向マーク５２ｘを基準として右回りに１〜４が表示されている。つまり、順番４の表示に対して９０度右回りに移動したことになる。そして、この状態で風向板キー５２ａを２秒間長押しすると順番６へ移行する。順番６は設定操作から抜けただけなので表示内容は順番５と同じである。順番６において風向板キー５２ａは風向板５ａを選択するためのキーとなる。なお、風向板キー５２ａの長押しはどの順番でも操作可能であり、その時に表示されていた模式図５２ｇが次回設定操作が行なわれるまで表示される。
【００２９】
次にユーザーが図示しない室内の壁に設置されたリモコン５０の前に立ち、その位置から室内機５の方向を見た時、室内機５の室内機を角から見た場合の位置である時の操作を説明する。
順番１として前回に設定されていた模式図５２ｇが表示されているが、この例では初期として台形の模式図５２ｇが表示され、その内部上側に方向マーク５２ｘの黒丸が、さらに台形の模式図５２ｇの各辺の外に方向マーク５２ｘを起点として右回りに１〜４の風向板識別番号が表示されている。この状態で風向板キー５２ｂ（＃２キー）を２秒間長押しすると、操作の順番が順番２へ移行する。
【００３０】
順番２では菱形の模式図５２ｇが表示されており、菱形の模式図５２ｇ内部の右上に方向マーク５２ｘの黒丸が表示されている。そして方向マーク５２ｘを起点として模式図５２ｇの右回り方向に１〜４の風向板識別番号が表示されている。そして順番２において風向板キー５２ｂを押下すると操作の順番が順番３へ移行する。順番３では方向マーク５２ｘの黒丸が模式図５２ｇの右下へ移動し、風向板識別番号はこの方向マーク５２ｘを基準として右回りに１〜４が表示されている。つまり、順番２の表示に対して９０度右回りに移動したことになる。そして、この状態で風向板キー５２ｂを押下すると操作の順番が順番４へ移行する。
【００３１】
以下同様に風向板キー５２ｂを押下する毎に方向マーク５２ｘの黒丸と１〜４の風向板識別番号が右回りに移動して表示される。
順番５では方向マーク５２ｘの黒丸が模式図５２ｇの左上へ移動し、風向板識別番号はこの方向マーク５２ｘを起点として右回りに１〜４が表示されている。つまり、順番４の表示に対して９０度右回りに移動したことになる。そして、この状態で風向板キー５２ｂ（＃２キー）を２秒間長押しすると順番６へ移行する。順番６は設定操作から抜けただけなので表示内容は順番５と同じである。順番６において風向板キー５２ｂは風向板５ｂを選択するためのキーとなる。なお、風向板キー５２ｂの長押しはどの順番でも操作可能であり、その時に表示されていた模式図５２ｇが次回設定操作が行なわれるまで表示される。
【００３２】
以上説明した２種類の回転操作のうち、いずれか１種類の回転操作を用いて模式図２ｇと実際に見た室内機５が近似するように事前にリモコン５０に設定しておくことにより、ユーザーが見たままの室内機５の各風向板の位置と、それを操作する各風向板キーとが一致するためユーザーは意図する風向板を操作するための各風向板キーを直感的に選択することができる。
【００３３】
図３はリモコン５０のブロック図である。
リモコン５０は、キー操作を受け付けるキー入力部５１と、ＬＣＤに表示を行なうリモコン表示部５２と、制御プログラムや各種表示データなどを記憶するリモコン記憶部５３と、室内機５と通信を行なうリモコン通信部５５と、これらを制御するリモコン制御部５４を備えている。
【００３４】
次に図８のリモコン５０の機能を示す機能ブロック図を用いて模式図５２ｇの回転機能に関連する機能ついて説明を行なう。なお、各ブロックの動作については後で詳細に説明する。また、各手段はリモコン記憶部５３に格納されたプログラムをリモコン制御部５４が実行することで実現される。また、各手段はリモコン記憶部５３に必要なデータや各手段で入出力するデータを記憶している。
【００３５】
リモコン５０はユーザーによるキー操作を受け付けるキー受付手段５０ａと、受け付けたキーのうち模式図５２ｇの回転操作に関わるキーのみを管理するキー管理手段（操作管理手段）５０ｂと、模式図５２ｇの回転位置を管理する模式図管理手段５０ｃと、模式図管理手段５０ｃが出力するパターン番号と模式図種別のデータに対応した表示パターンを抽出する表示パターン抽出手段（パターン抽出手段）５０ｄと、抽出されたパターンデータに従って表示を行なうパターンデータ表示手段（表示手段）５０ｅを備えている。
【００３６】
キー受付手段５０ａはキー入力部５１によってキーの押下が通知されると、このキーと対応するキーデータをキー管理手段５０ｂに出力する。キー管理手段５０ｂは、入力されたキーデータのうち、模式図５２ｇの回転操作の設定に関わる風向板キー５２ａの長押しと短押し（通常の押下）、及び風向板キー５２ｂの長押しと短押し（通常の押下）のみを管理する。
【００３７】
具体的にキー管理手段５０ｂは、風向板キー５２ａの長押しのキーデータが入力された場合、次に風向板キー５２ａの長押しのキーデータが入力されるまで、風向板キー５２ａの短押しのキーデータのみを受け付ける。そして、キー管理手段５０ｂは風向板キー５２ａの短押しのキーデータが入力される度に、風向板キー５２ａの長押し操作で指定された台形状の模式図５２ｇを選択するための模式図種別：台形を模式図管理手段５０ｃへ出力する。
【００３８】
一方、キー管理手段５０ｂは風向板キー５２ｂの長押しのキーデータが入力された場合、次に風向板キー５２ｂの長押しのキーデータが入力されるまで、風向板キー５２ｂの短押しのキーデータのみを受け付ける。そして、キー管理手段５０ｂはこの受け付けた風向板キー５２ｂの短押しのキーデータが入力される度に、風向板キー５２ｂの長押し操作で指定された菱形の模式図５２ｇを選択するための模式図種別：菱形を模式図管理手段５０ｃへ出力する。
【００３９】
模式図管理手段５０ｃは１〜４をカウントする２種類のカウンタ、つまり、台形用カウンタと菱形用カウンタの値をリモコン記憶部５３に記憶している。そしてキー管理手段５０ｂから模式図種別が入力される都度、模式図管理手段５０ｃはこの模式図種別に対応するカウンタの値を予め定めた所定値である１ずつカウントアップし、カウント値が４の次は１から再度カウントアップする。つまり、このカウント値は図６の順番２〜５に対応した順番を決定するために用いられる。模式図管理手段５０ｃは現在のカウンタ値をパターン番号として模式図種別と共に表示パターン抽出手段５０ｄに出力する。なお、模式図管理手段５０ｃは初期値としてパターン番号：１と模式図種別として台形を出力している。
【００４０】
パターン番号と模式図種別が入力された表示パターン抽出手段５０ｄはリモコン記憶部５３に記憶している模式図５２ｇの台形、又は、菱形の各４パターンの表示パターンデータからパターン番号と模式図種別に対応する表示パターンデータを抽出してパターンデータ表示手段５０ｅに出力する。パターンデータ表示手段５０ｅは、入力された表示パターンデータをリモコン表示部５２へ出力してリモコン５０の室内機表示エリア５２ｅに選択された模式図５２ｇを表示する。
【実施例２】
【００４１】
グループリモコン２は実施例１で説明したリモコン５０の機能を含んでおり、各室内機から操作対象となる１つの室内機を選択して画面に呼び出した後、リモコン５０と同様の機能を使用することができる。ただし、グループリモコン２はタッチパネル機能を備えていることがリモコン５０と異なる。
【００４２】
図２（２）は各室内機を制御するグループリモコン２の正面図である。
グループリモコン２はタッチ操作が可能な機器であり、機器の正面ほぼ全域がタッチパネルの表示エリアとなっており、表示のみのエリアと操作ボタン（ソフトキー）が配置されたエリアを備えている。図２（２）において複数の室内機から室内機５が選択され、この室内機５に対して操作を行なうことができる状態になっている。
【００４３】
グループリモコン２の表示エリアには設定温度、風向板の角度、風量の大きさ、運転モード、制御対象となる室内機の機器番号が表示されている。また、ユーザーから見た室内機５の向きが模式図２ｇとして室内機表示エリア２ｅに設定されて表示されている。またこの模式図２ｇは風向板を選択する操作ボタンとなっており、右回りに９０度間隔で配置された室内機の４つの風向板を模した風向板ボタン２ａ、風向板ボタン２ｂ、風向板ボタン２ｃ、風向板ボタン２ｄが備えられ、風向板ボタン２ａの下には室内機５の方向である基準マーク５ｅと対応する黒丸の方向マーク２ｘが表示されている。
【００４４】
そして、方向マーク２ｘを起点として右回りに各風向板の配置位置に対応して１〜４の風向板識別番号が順次割り当てられて各風向板ボタンに表示されている。この方向マーク２ｘは各室内機の基準マークに対応しており、後述するように例えばグループリモコン２の方向マーク２ｘがある位置の風向板ボタン２ａを操作した場合、対応する室内機５の基準マーク５ｅがある位置の風向板５ａの上下角度（回動角度）を制御することができる。なお、他の風向板ボタンも対応する室内機５の風向板を制御することができる。この動作については後で詳細に説明する。
【００４５】
なお、操作ボタンとしては上記の他に、設定温度や風向板を回動させる上ボタン２ｉと下ボタン２ｈ、運転モードを選択する運転モードボタン、風量を選択する風量ボタン、運転の開始／停止を指示する運転ボタンが備えられている。
【００４６】
一方、模式図２ｇは回転して記憶させることができるため、室内機５の設置時に実際の室内機５の基準マーク５ｅと、グループリモコン２の方向マーク２ｘの向きを合わせるようにして記憶させておくことにより、ユーザーが室内機５の基準マーク５ｅの確認や実際に風向板を動作させて意図する風向板を確認する必要がなく、模式図２ｇで示される室内機５の風向板のうち意図する風向板の風向板識別番号を直感的に選択することができる。
【００４７】
例えば図２（２）において、ユーザーが実際の室内機５を斜め下から見上げた場合、室内機５の奥方向は模式図５２ｇの下方向に、室内機５の手前方向は模式図５２ｇの上方向となる。ここで左手前の風向板の上下角度を変更したい場合、模式図２ｇの風向板ボタン２ｂを押した後、上ボタン２ｉ、又は下ボタン２ｈを押すことにより、風向板５ｂを１段階回動させることができ、この状態は風向板表示エリア２ｊにおいて、横から見た風向板模式図２ｋの位置で知ることができる。
なお、模式図５２ｇの回転位置を設定するためには、模式図２ｇの回りをスワイプ（指をタッチしたまま滑らせる）する回転操作が必要であるが、この設定方法は後で詳細に説明する。
【００４８】
図７はグループリモコン２で室内機の向きを選択する時の操作と表示内容を示す説明図である。図７において横方向の項は左から順に操作の順番、ユーザーが模式図２ｇの外周で操作するスワイプ操作、表示される模式図２ｇと風向板ボタンの項をそれぞれ示している。なお、模式図２ｇの表示はその順番でのスワイプ操作における円弧の指の軌跡が、模式図２ｇの中央を中心として４５度の角度ずつ増加した時の内容を示している。なお、スワイプ操作は連続的な操作であるため、便宜上、スワイプ操作での指の軌跡が４５度増加する毎に順番を更新して記載している。
【００４９】
まず最初にユーザーが図示しない室内の壁に設置されたグループリモコン２の前に立ち、その位置から室内機５の方向を見た場合、ユーザーが見た室内機５の形状に近似した模式図２ｇを設定する場合の回転操作を説明する。
順番１として前回の設定操作によって設定されていた模式図２ｇが表示されているが、この例では初期設定として台形の模式図２ｇが表示され、その外部上側に方向マーク２ｘの黒丸が、さらに台形の模式図２ｇの各辺の内側に方向マーク２ｘを起点として右回りに１〜４の風向板識別番号が表示されている。この状態で模式図２ｇの外周をスワイプする操作を開始すると操作の順番が順番２へ移行する。
【００５０】
そして順番２においてユーザーが模式図２ｇの外周上部を起点として、模式図２ｇの外周を右回り方向に４５度スワイプ操作を行なうと、模式図２ｇも連動して順番１の表示での台形から菱形の模式図２ｇに変化する。同時に方向マーク２ｘの黒丸と共に、風向板ボタン２ａ、風向板ボタン２ｂ、風向板ボタン２ｃ、風向板ボタン２ｄも連動して回転する。
【００５１】
そして順番３においてユーザーがさらにスワイプ操作を継続して、最初の位置から９０度の位置になった時、模式図２ｇも連動して順番２の表示での菱形から台形の模式図２ｇに変化する。同時に方向マーク２ｘの黒丸と共に回転し、風向板ボタン２ａは左、風向板ボタン２ｂは下、風向板ボタン２ｃは左、風向板ボタン２ｄは上に表示される。
【００５２】
このように模式図２ｇと方向マーク２ｘの黒丸と各風向板ボタンはスワイプ操作に従って回転する。そして、ユーザーは模式図２ｇと実際に見た室内機５がほぼ同じになったら指をタッチパネルから離すと模式図２ｇもその位置を保ったままとなる。従ってユーザーが見たままの室内機５の各風向板の位置と、それを操作する各風向板ボタンとが一致するためユーザーは意図する風向板を操作するための各風向板ボタンを直感的に選択することができる。
【００５３】
図４はグループリモコン２のブロック図である。
グループリモコン２は、操作を受け付けるタッチパネル２１と、フルドットディスプレイに表示を行なうグループリモコン表示部２２と、制御プログラムや各種表示データなどを記憶するグループリモコン記憶部２３と、各室内機や図示しない室外機と通信を行なうグループリモコン通信部２５と、これらを制御するグループリモコン制御部２４を備えている。
【００５４】
次に図９のグループリモコン２の機能を示す機能ブロック図を用いて模式図２ｇの回転操作に関連する機能ついて説明を行なう。また、各手段はグループリモコン記憶部２３に格納されたプログラムをグループリモコン制御部２４が実行することで実現される。また、各手段はグループリモコン記憶部２３に必要なデータや各手段で入出力するデータを記憶している。
【００５５】
グループリモコン２はユーザーによるタッチ操作を受け付ける操作受付手段２０ａと、受け付けた操作のうち模式図２ｇの設定に関わる回転操作のみを管理する操作管理手段２０ｂと、模式図２ｇの回転位置を管理する模式図管理手段２０ｃと、模式図管理手段２０ｃが出力するパターン番号に対応したドットパターンデータを抽出するドットパターン抽出手段（パターン抽出手段）２０ｄと、抽出されたドットパターンデータに従って表示を行なうドットデータ表示手段（表示手段）２０ｅを備えている。
【００５６】
操作受付手段２０ａは、タッチパネル２１によってタップや、スワイプなどの操作による操作座標データがに入力されると、この操作座標データを操作管理手段２０ｂに出力する。操作管理手段２０ｂは、入力された操作座標データの軌跡から模式図２ｇの外周をなぞるスワイプ操作であることを検出した場合、模式図２ｇを中心とした円弧におけるスワイプ操作の開始座標を基準とした角度であるスワイプ操作角度を逐次算出し、算出したスワイプ操作角度を模式図管理手段２０ｃへ出力する。なお、操作受付手段２０ａは模式図２ｇの外周をなぞるスワイプ操作以外の操作座標データを無視する。
【００５７】
模式図管理手段２０ｃは１〜８をカウントするカウンタの値をグループリモコン記憶部２３に記憶しており、スワイプ操作角度が入力される都度、予め定めた所定値である１ずつカウンタの値をカウントアップし、カウント値が８の次は１から再度カウントアップする。つまり、このカウント値は図７の順番を決定するために用いられる。模式図管理手段２０ｃは模式図２ｇの回転による１周３６０度をカウンタの値：８で割った４５度毎に模式図２ｇを管理しており、スワイプ操作角度が４５の倍数に達した時点でカウントアップを行なう。模式図管理手段２０ｃは現在のカウント値をパターン番号として、ドットパターン抽出手段２０ｄに出力する。なお、模式図管理手段２０ｃは初期値としてパターン番号：１、つまり、図７の順番１で示す台形の模式図２ｇを出力している。
【００５８】
パターン番号が入力されたドットパターン抽出手段２０ｄはグループリモコン記憶部２３に予め記憶している８種類の模式図２ｇのドットパターンデータからパターン番号に対応するドットパターンデータを抽出してドットデータ表示手段２０ｅに出力する。ドットデータ表示手段２０ｅは、入力されたドットパターンデータをグループリモコン表示部２２へ出力してグループリモコン２の室内機表示エリア２ｅに選択された模式図５２ｇを表示する。
【００５９】
一方、ドットパターン抽出手段２０ｄはパターン番号が入力される毎に、このパターン番号で指定される模式図２ｇのソフトキーの座標と、この座標と対応する風向板識別番号とを対応させてグループリモコン記憶部２３に記憶する機能を備えている。
前述したようにユーザーの操作により模式図２ｇが回転すると、これに対応して各風向板を指定するソフトキーである風向板ボタン２ａ、風向板ボタン２ｂ、風向板ボタン２ｃ、風向板ボタン２ｄも同時にその形状やタッチ操作を受け付ける位置座標も変化する。
【００６０】
ドットパターン抽出手段２０ｄは予め８つのパターン番号と対応する８つの模式図２ｇのドットパターンデータを記憶している。そして各ドットパターンデータにおける各風向板ボタンの表示座標、つまり、タッチ入力される座標も予め記憶している。
従ってパターン番号が入力された時、このパターン番号における各風向板ボタン、つまり風向板識別番号と、各風向板ボタンのタッチ入力される座標を関連づけて風向板選択テーブルとしてグループリモコン記憶部２３に記憶する。このため、グループリモコン制御部２４は風向板を指定する操作において、タッチパネル２１からタッチ座標が入力された時、風向板選択テーブルを検索し、このタッチ座標が抽出された場合にこの座標と対応する風向板識別番号を抽出することできる。グループリモコン制御部２４はこの抽出した風向板識別番号を用いて室内機５の任意の風向板を選択制御することができる。
【００６１】
実施例１や実施例２で説明したように、実際の室内機５の各風向板と、リモコン５０やグループリモコン２に表示される模式図における風向板との対応付けをユーザーが意識しなくても、ユーザーが見たままの室内機５と対応する室内機の模式図をリモコン５０やグループリモコン２に設定して常に表示することでユーザーが意図した風向板を容易に選択できるため操作性を向上させることができる。
【００６２】
本実施例では室内機５の模式図を８種類としているが、これに限るものでなく、１６種類や４種類などとしてもよい。また、フルドット表示であれば段階的でなく、スワイプ操作に従って連続的に模式図を回転させるようにしてもよい。
また、リモコン５０の操作において、ユーザーに台形、又は菱形のいずれかの模式図を最初に選択させているが、これに限るものでなく、模式図の回転に従って台形、菱形、台形、菱形・・・と、交互に切り替えて表示させるようにしてもよい。
【００６３】
一方、本実施例ではフルドット表示可能な機器としてグループリモコンで説明を行なっているが、これに限るものでなく、室内機が設置された部屋に有るパソコンにインストールされた室内機の操作プログラムであってもよい。なお、この場合、スワイプ操作、タッチ操作として説明している部分は、それぞれマウスによるドラッグ操作、クリック操作に対応する。
【符号の説明】
【００６４】
１  空気調和機
２  グループリモコン（遠隔操作装置）
２ａ、２ｂ、２ｃ、２ｄ  風向板ボタン
２ｅ  室内機表示エリア
２ｈ  下ボタン
２ｉ  上ボタン
２ｋ  風向板模式図
２ｊ  風向板表示エリア
２ｘ  方向マーク
３  通信線
４  リモコン通信線
５  室内機
５ａ  風向板
５ｂ  風向板
５ｃ  風向板
５ｄ  風向板
５ｅ  基準マーク
５ｆ  パネル
６  室内機
２０ａ  操作受付手段
２０ｂ  操作管理手段
２０ｃ  模式図管理手段
２０ｄ  ドットパターン抽出手段（パターン抽出手段）
２０ｅ  ドットデータ表示手段（表示手段）
２１  タッチパネル
２２  グループリモコン表示部
２３  グループリモコン記憶部
２４  グループリモコン制御部
２５  グループリモコン通信部
５０  リモコン（遠隔操作装置）
５０ａ  キー受付手段
５０ｂ  キー管理手段（操作管理手段）
５０ｃ  模式図管理手段
５０ｄ  表示パターン抽出手段（パターン抽出手段）
５０ｅ  パターンデータ表示手段（表示手段）
５１  キー入力部
５２  リモコン表示部
５２ａ、５２ｂ、５２ｃ、５２ｄ  風向板キー
５２ｅ  室内機表示エリア
５２ｇ  模式図
５２ｇ１  台形枠
５２ｇ２  菱形枠
５２ｇ３、５２ｇ４  識別番号群
５２ｈ  下ボタン
５２ｉ  上ボタン
５２ｊ  風向板表示エリア
５２ｋ  風向板模式図
５２ｘ  方向マーク
５２ｘ１  方向マーク
５３  リモコン記憶部
５４  リモコン制御部
５５  リモコン通信部
６０  リモコン（遠隔操作装置）
【図１】
0006627537.tif 000002
【図２】
0006627537.tif 000003
【図３】
0006627537.tif 000004
【図４】
0006627537.tif 000005
【図５】
0006627537.tif 000006
【図６】
0006627537.tif 000007
【図７】
0006627537.tif 000008
【図８】
0006627537.tif 000009
【図９】
0006627537.tif 000010